(57)【要約】【課題】測光用画像を用いることなく表示パネルの光の強度を調整することができる表示装置、コンピュータプログラム、記録媒体及び画像表示方法を提供する。【解決手段】光学センサ５は、表示パネル１の複数の画素で構成される一部の表示領域（表示パネル上の光学センサ５による測定領域）からの光の強度（三刺激値）を測定する。算出部２０は、測定領域に画像を表示するための各画素のビデオレベル（画像データ）に基づいて測定領域から発せられる発光強度（三刺激値）を算出する。比較部１９は、算出した光の強度と測定した光の強度とを比較する。制御部１０は、比較部１９での比較結果に応じて、表示パネル１の光の強度（輝度、色度など）を調整する。【選択図】図３
2011090046.tif 000002
【特許請求の範囲】
【請求項１】
画像を表示する表示パネルを備える表示装置において、
前記表示パネルの複数の画素で構成される一部の表示領域からの光の強度を測定する測定部と、
前記表示領域に画像を表示するための画像データに基づいて該表示領域から発せられる光の強度を算出する算出部と、
該算出部で算出した光の強度と前記測定部で測定した光の強度とを比較する比較部と、
該比較部での比較結果に応じて、前記表示パネルの光の強度を調整する調整部と
を備えることを特徴とする表示装置。
【請求項２】
前記表示領域に画像を表示するための画像データに基づいて該表示領域の各画素から発せられる光の強度を算出する画素強度算出部を備え、
前記算出部は、
前記画素強度算出部で算出した光の強度を前記表示領域の各画素について合計した値に基づいて光の強度を算出するように構成してあることを特徴とする請求項１に記載の表示装置。
【請求項３】
前記画素強度算出部で算出した光の強度に対して前記表示領域の各画素に応じた重み付けを行う重み付け部を備え、
前記算出部は、
前記重み付け部で重み付けした光の強度を前記表示領域の各画素について合計した値に基づいて光の強度を算出するように構成してあることを特徴とする請求項２に記載の表示装置。
【請求項４】
前記重み付け部は、
前記表示領域の各画素の前記測定部からの距離に応じて重み付けするように構成してあることを特徴とする請求項３に記載の表示装置。
【請求項５】
前記重み付け部は、
前記表示領域の各画素と前記測定部とが構成する角度に応じて重み付けするように構成してあることを特徴とする請求項４に記載の表示装置。
【請求項６】
前記測定部は、
前記表示パネルの表示面を遮らない位置に設けてあることを特徴とする請求項１乃至請求項５のいずれか１項に記載の表示装置。
【請求項７】
前記光の強度は、輝度又は色度の少なくとも一方を含むことを特徴とする請求項１乃至請求項６のいずれか１項に記載の表示装置。
【請求項８】
コンピュータに、画像を表示する表示パネルからの光の強度を調整させるためのコンピュータプログラムにおいて、
コンピュータに、
前記表示パネルの一部の表示領域からの光の強度を測定するステップと、
前記表示領域に画像を表示するための画像データに基づいて該表示領域から発せられる光の強度を算出するステップと、
算出された光の強度と測定された光の強度とを比較するステップと、
該比較するステップでの比較結果に応じて、前記表示パネルの光の強度を調整するステップと
を実行させることを特徴とするコンピュータプログラム。
【請求項９】
請求項８に記載のコンピュータプログラムを記録してあることを特徴とするコンピュータでの読み取りが可能な記録媒体。
【請求項１０】
画像を表示する表示パネルを備える表示装置における画像表示方法において、
前記表示パネルの複数の画素で構成される一部の表示領域からの光の強度を測定部で測定するステップと、
前記表示領域に画像を表示するための画像データに基づいて該表示領域から発せられる光の強度を算出するステップと、
算出された光の強度と測定された光の強度とを比較するステップと、
該比較するステップでの比較結果に応じて、調整部で前記表示パネルの光の強度を調整するステップと
を含むことを特徴とする画像表示方法。
【発明の詳細な説明】
【技術分野】
【０００１】
本発明は、画像を表示する表示パネルの光の強度を調整することができる表示装置、光の強度を調整するためのコンピュータプログラム、該コンピュータプログラムを記録した記録媒体及び画像表示方法に関する。
【背景技術】
【０００２】
液晶パネルなどの表示パネルを備える表示装置は、液晶パネルの画素毎に光透過率を変化させて、背面側に設けられたバックライトからの光の透過量を制御することで画像の階調表示を行なっている。液晶パネルは、製造バラツキ等の要因によって光透過率が設計値からずれ、所望の階調特性が得られない場合がある。この対策として、入力された画像信号による階調レベル（階調値）と、この階調レベルに対応する液晶パネルへの入力レベルとが関連付けられたＬＵＴ（ルックアップテーブル）をメモリ等に記憶しておき、ＬＵＴに基づいて階調レベルを入力レベルに変換することによって、表示装置毎に固有の階調特性を補正し、所望の階調特性を実現することが行なわれている。
【０００３】
しかし、液晶パネル及びバックライト等の特性は表示装置の使用に伴って経年変化する虞があり、表示装置の製造時又は出荷時等に記憶されたＬＵＴに基づいて階調特性を補正しても、経年変化が生じた場合には、所望の階調特性を実現することができない。また、表示装置を使用する用途によって、ユーザが必要とする画面の色度、輝度又は階調特性が異なる場合もある。これらの問題に対して、表示装置の出荷後に、ユーザ側でＬＵＴを更新する、所謂キャリブレーションを行うことによって対処することが可能である。キャリブレーションを行なう際には、表示装置の実際の表示特性（発光強度）を測定する必要があり、測定のためのセンサが表示装置に備えられる。
【０００４】
例えば、テストパターンデータを画像データとして設定して、白黒を含む複数の色データをディスプレイのスクリーン面の所定の領域に順次表示し、白黒センサから出力されるアナログ信号をデジタル信号に変換し、変換後のデジタル信号を予め作成された基準データに基づいて処理し、その処理結果によりルックアップテーブルのデータを変更することでディスプレイの色や輝度、コントラストの調整を容易に行うことができるディスプレイ調整装置が開示されている（特許文献１参照）。
【先行技術文献】
【特許文献】
【０００５】
【特許文献１】特開平９−９７０４４号公報
【発明の概要】
【発明が解決しようとする課題】
【０００６】
しかしながら、特許文献１の装置にあっては、測光用画像を予め作成しておき、ディスプレイのスクリーン面の所定の領域に作成した測光用画像を表示させる必要があった。したがって、キャリブレーションなどの作業を行う間は、測光用画像で本来表示される画像が遮られ、ユーザの作業を阻害するという問題があった。
【０００７】
本発明は、斯かる事情に鑑みてなされたものであり、測光用画像を用いることなく表示パネルの光の強度を調整することができる表示装置、光の強度を調整するためのコンピュータプログラム、該コンピュータプログラムを記録した記録媒体及び画像表示方法を提供することにある。
【課題を解決するための手段】
【０００８】
第１発明に係る表示装置は、画像を表示する表示パネルを備える表示装置において、前記表示パネルの複数の画素で構成される一部の表示領域からの光の強度を測定する測定部と、前記表示領域に画像を表示するための画像データに基づいて該表示領域から発せられる光の強度を算出する算出部と、該算出部で算出した光の強度と前記測定部で測定した光の強度とを比較する比較部と、該比較部での比較結果に応じて、前記表示パネルの光の強度を調整する調整部とを備えることを特徴とする。
【０００９】
第２発明に係る表示装置は、第１発明において、前記表示領域に画像を表示するための画像データに基づいて該表示領域の各画素から発せられる光の強度を算出する画素強度算出部を備え、前記算出部は、前記画素強度算出部で算出した光の強度を前記表示領域の各画素について合計した値に基づいて光の強度を算出するように構成してあることを特徴とする。
【００１０】
第３発明に係る表示装置は、第２発明において、前記画素強度算出部で算出した光の強度に対して前記表示領域の各画素に応じた重み付けを行う重み付け部を備え、前記算出部は、前記重み付け部で重み付けした光の強度を前記表示領域の各画素について合計した値に基づいて光の強度を算出するように構成してあることを特徴とする。
【００１１】
第４発明に係る表示装置は、第３発明において、前記重み付け部は、前記表示領域の各画素の前記測定部からの距離に応じて重み付けするように構成してあることを特徴とする。
【００１２】
第５発明に係る表示装置は、第４発明において、前記重み付け部は、前記表示領域の各画素と前記測定部とが構成する角度に応じて重み付けするように構成してあることを特徴とする。
【００１３】
第６発明に係る表示装置は、第１発明乃至第５発明のいずれか１つにおいて、前記測定部は、前記表示パネルの表示面を遮らない位置に設けてあることを特徴とする。
【００１４】
第７発明に係る表示装置は、第１発明乃至第６発明のいずれか１つにおいて、前記光の強度は、輝度又は色度の少なくとも一方を含むことを特徴とする。
【００１５】
第８発明に係るコンピュータプログラムは、コンピュータに、画像を表示する表示パネルからの光の強度を調整させるためのコンピュータプログラムにおいて、コンピュータに、前記表示パネルの一部の表示領域からの光の強度を測定するステップと、前記表示領域に画像を表示するための画像データに基づいて該表示領域から発せられる光の強度を算出するステップと、算出された光の強度と測定された光の強度とを比較するステップと、該比較するステップでの比較結果に応じて、前記表示パネルの光の強度を調整するステップとを実行させることを特徴とする。
【００１６】
第９発明に係るコンピュータでの読み取りが可能な記録媒体は、第８発明に係るコンピュータプログラムを記録してあることを特徴とする。
【００１７】
第１０発明に係る画像表示方法は、画像を表示する表示パネルを備える表示装置における画像表示方法において、前記表示パネルの複数の画素で構成される一部の表示領域からの光の強度を測定部で測定するステップと、前記表示領域に画像を表示するための画像データに基づいて該表示領域から発せられる光の強度を算出するステップと、算出された光の強度と測定された光の強度とを比較するステップと、該比較するステップでの比較結果に応じて、調整部で前記表示パネルの光の強度を調整するステップとを含むことを特徴とする。
【００１８】
第１発明、第８発明、第９発明及び第１０発明にあっては、測定部（例えば、光学センサなど）は、表示パネルの複数の画素で構成される一部の表示領域（表示パネル上の光学センサによる測定領域）からの光の強度を測定する。算出部は、表示領域に画像を表示するための画像データに基づいて当該表示領域から発せられる光の強度を算出する。比較部は、算出した光の強度と測定した光の強度とを比較し、調整部は、比較部での比較結果に応じて、表示パネルの光の強度を調整する。すなわち、測光用画像を用いることなく、表示パネルに表示される画像のうち、一部の表示領域（測定領域）の画像（測光用画像ではない画像）に対応する画像データから、表示領域から発せられる光の強度を理想値又は目標値として算出し、算出した光の強度と、表示領域からの光を実際に測定して得られた光の強度とを比較することで、実際の光の強度を理想値又は目標値に近づけるよう調整する。これにより、測光用画像や測光用パターンを表示パネルに表示させる必要がないため、本来の表示画像が測光用画像等で遮られることがなく、表示パネルの画面全体を１００％使用することができ、ユーザの作業性が向上する。
【００１９】
第２発明にあっては、画素強度算出部は、表示領域に画像を表示するための画像データに基づいて当該表示領域の各画素から発せられる光の強度を算出する。算出部は、画素強度算出部で算出した光の強度を当該表示領域の各画素について合計した値に基づいて光の強度を算出する。各画素における光の強度を表示領域中の画素について合計した値を表示領域における光の強度として算出するので、表示領域に表示される画像の階調が不均一な場合や画像に斑な模様が存在している場合などの測光用画像ではない実際の画像を表示するだけで、表示領域全体としての光の強度を安定に求めることができる。
【００２０】
第３発明にあっては、重み付け部は、画素強度算出部で算出した光の強度に対して表示領域の各画素に応じた重み付けを行う。例えば、表示領域からの光の強度が測定部で測定される際に表示領域の各画素の位置に応じて光の強度の度合いが異なる場合には、重み付けは、表示領域の各画素の位置情報に応じて行うことができる。算出部は、重み付け部で重み付けした光の強度を表示領域の各画素について合計した値に基づいて光の強度を算出する。これにより、測定部（例えば、光学センサ）と表示領域との位置関係に応じて当該表示領域における光の強度を算出することができる。
【００２１】
第４発明にあっては、重み付け部は、表示領域の各画素の測定部（例えば、光学センサ）からの距離に応じて重み付けする。測定部からの距離が離れるほど、表示領域における画素の出力が測定部での測定値に与える影響は小さくなるため、測定値に与える影響度合いに応じた重み付けをすることにより、表示領域の光の強度を精度よく算出することができる。
【００２２】
第５発明にあっては、重み付け部は、表示領域の各画素と測定部（例えば、光学センサ）とが構成する角度に応じて重み付けする。表示パネルにはその原理上、表示面に対し斜めから見ると表示が正常に見えないものがある。特に液晶パネルでは正面に対する角度が広くなればなるほど、輝度が減少したり、特定の色が見えにくくなったりする。つまり、各画素と測定部と表示パネル面が構成する角度が小さくなるほど、表示領域における画素の出力が測定部での測定値に与える影響は小さくなるため、測定値に与える影響度合いに応じた重み付けをすることにより、表示領域の光の強度を精度よく算出することができる。
【００２３】
第６発明にあっては、測定部は、表示パネルの表示面を遮らない位置に設けてある。これにより、測定部で表示パネルの一部が遮られることを防止することができ、表示パネルの画面全体を１００％使用することができ、ユーザの作業性が向上する。
【００２４】
第７発明にあっては、光の強度は、輝度又は色度の少なくとも一方を含む。これにより、測光用画像や測光用パターンを用いることなく、輝度又は色度の少なくとも一方を調整することができる。
【発明の効果】
【００２５】
本発明によれば、測光用画像や測光用パターンを表示パネルに表示させる必要がないため、測光や測色のため作業中の画像を遮ることがなく、ユーザの作業を阻害しないため、リアルタイム又は任意に測光や測色の作業を実行することができ、ユーザの作業性が向上するとともに、常時安定した表示が可能となる。
【図面の簡単な説明】
【００２６】
【図１】本実施の形態に係る表示装置の外観を示す正面図である。
【図２】本実施の形態に係る表示装置の構成を示す模式的断面図である。
【図３】本実施の形態に係る表示装置の構成を示すブロック図である。
【図４】本実施の形態の光の強度に対する重み付けの一例を示す説明図である。
【図５】本実施の形態の画像表示方法の処理手順を示すフローチャートである。
【図６】実施の形態２に係る表示装置の構成を示す模式的断面図である。
【図７】実施の形態３に係る表示装置の構成を示す模式的断面図である。
【図８】実施の形態４に係る表示装置の構成を示す模式的断面図である。
【発明を実施するための形態】
【００２７】
実施の形態１
以下、本発明に係る表示装置、コンピュータプログラム、記録媒体及び画像表示方法を実施の形態を示す図面に基づいて説明する。図１は本実施の形態に係る表示装置１００の外観を示す正面図であり、図２は本実施の形態に係る表示装置１００の構成を示す模式的断面図である。なお、図２は図１のＩＩ−ＩＩ線による断面図を示し、図２（ｂ）は図２（ａ）中の二点鎖線の閉曲線で囲まれた部分の拡大図を示す。
【００２８】
本実施の形態の表示装置１００は、液晶パネル等の表示パネル１を備える。表示装置１００は、略矩形の板状をなす本体部分の正面（前面）に表示パネル１による矩形の表示面１ａが設けられており、表示面１ａに白黒やカラーなどの種々の画像表示を行うことができる。表示装置１００の本体部分は、その背面に固定されたスタンド３によって、机上又は床上などに対して表示面１ａが略垂直となるように支持される。
【００２９】
表示装置１００の本体部分は、合成樹脂製又は金属製の筐体２に、表示パネル１、後述のバックライト１７（図３参照）、回路基板（不図示）などを収容する。筐体２は、複数の部品に分割可能であり、これらの部品には、例えば、表示装置１００の正面側に取り付けられる枠状部材(ベゼル枠)２ａ、及び表示装置１００の背面側に取り付けられる背面部材２ｂなどが含まれる。なお、背面部材２ｂは略矩形の平らな容器状をなしており、表示パネル１、バックライト１７、回路基板（不図示）などを収容する。
【００３０】
筐体２内には、金属製又は合成樹脂製であって筐体２の背面部材２ｂよりも小さい略矩形の平らな容器状のシャーシ４が収容されている。シャーシ４は、シャーシ４の開口部にて、略矩形の板状をなす表示パネル１の周縁を保持し、表示装置１００の正面側に向かって表示面１ａが露出するように表示パネル１を不動に固定する。また、シャーシ４内には、表示パネル１の背面側にＣＣＦＬ（Cold Cathode Fluorescent Lamp）又はＬＥＤ（Light Emitting Diode）等によるバックライト１７が配置される。また、バックライト１７からの光を反射又は拡散して表示パネル１の背面に照射するための光学部材が収容されている。
【００３１】
表示パネル１を保持すると共にバックライト１７及び回路基板などを収容したシャーシ４は、表示装置１００の筐体２の背面部材２ｂ内に収容される。なお、シャーシ４は、背面部材２ｂに収容された場合に背面部材２ｂの開口部から少し突出する長さ（厚み）に形成されている。従って、筐体２の枠状部材２ａを背面部材２ｂに取り付けることにより、シャーシ４を筐体２内に固定することができる。
【００３２】
枠状部材２ａは、略矩形の開口部を有する四角い枠状に形成されており、背面部材２ｂに取り付けられた場合に、表示パネル１の周囲を取り囲むシャーシ４を覆う程度の幅を有している。これにより、枠状部材２ａは、背面部材２ｂに取り付けられた場合、表示パネル１の表示面１ａを覆い隠すことなく、枠状部材２ａの開口部から表示面１ａが露出するように表示パネル１の周囲を囲んで設けられる。なお、図２においては枠状部材２ａの開口部には何も設けられていないが、防塵などを目的として、光を透過する素材で枠状部材２ａの開口部を覆う構成としてもよい。
【００３３】
なお、筐体２の背面部材２ｂにシャーシ４が収容されて枠状部材２ａが取り付けられた状態において、枠状部材２ａは、シャーシ４に固定された表示パネル１の表示面１ａよりも前方（正面側に）突出した状態となる。
【００３４】
枠状部材２ａの内側の面には、表示装置１００の正面視における右下側の位置に適宜の大きさの凹部２ｃが形成されている。凹部２ｃは、シャーシ４の正面側の面が露出するように形成される。なお、図２においては凹部２ｃの開口部には何も設けられていないが、防塵などを目的として、光を透過する素材で凹部２ｃの開口部を覆う構成としてもよい。なお、凹部２ｃの形成、大きさ及び位置は、図１に示した例に限定されるものではなく、表示装置１００の使用環境、光学センサ５による測定領域ＭＡの大きさ、表示パネル１からの光及び外部光（環境光）による影響などを考慮して適切に決定することができる。環境光は、表示装置１００の使用環境に係る光である。
【００３５】
凹部２ｃ内には、表示パネル１の複数の画素で構成される一部の表示領域（測定領域ＭＡ）の発光強度を測定する光学センサ５が配設されている。光学センサ５は、受光面５ａを有し、受光面５ａにて受光した光の強度（例えば、輝度、色度など）を測定し、測定結果に応じた電気信号を出力する。また、光学センサ５は、受光面５ａが表示パネル１の表示面１ａを向くように、表示面１ａに対して受光面５ａを所定角度（例えば４５°など）傾斜させた状態で凹部２ｃ内に配設されている。なお、光学センサ５を表示面１ａに対して傾斜させる角度は、表示パネル１の視野角、凹部２ｃの大きさ及び光学センサ５の大きさ等に応じて適宜に定めることができる。
【００３６】
凹部２ｃ内にて光学センサ５の受光面５ａを表示パネル１の表示面１ａに対して傾斜させて対向させることにより、光学センサ５は、表示パネル１の表示面１ａから出射する光（図２（ｂ）の破線の矢印参照）を受光面５ａにて受光することができる。また、光学センサ５は、表示装置１００の外部からの光（図２（ｂ）の実線の矢印参照）が表示パネル１の表示面１ａにおいて反射された反射光を受光することができる。なお、表示パネル１の表示面１ａからの出射光は、実際には表示装置１００のバックライト１７が発した光が表示パネル１を透過した光である。また、表示装置１００の外部からの光は、表示装置１００が設置された部屋の照明光又は太陽光等である。
【００３７】
また、光学センサ５は、枠状部材２ａの凹部２ｃ内に設けられて、受光面５ａが表示パネル１の表示面１ａに向けて傾斜させてあるため、表示装置１００の外部からの光が直接に（すなわち、表示面１ａにて反射されない光が）光センサ５の受光面５ａに入射しない。あるいは、外部光が入射した場合であっても、表示パネル１からの光及び表示面１ａでの反射光と比較して、光の量は十分に少ない。これにより、光学センサ５は、外部光を直接に受光することなく、表示パネル１からの出射光と、外部光のうちの表示面１ａにて反射された反射光とを受光することができる。
【００３８】
図３は本実施の形態に係る表示装置１００の構成を示すブロック図である。表示装置１００は、制御部１０、信号入力部１１、前段ＬＵＴ（ルックアップテーブル）１２、ビデオレベル取得部１３、色空間変換部１４、後段ＬＵＴ（ルックアップテーブル）１５、表示パネル駆動部１６、バックライト１７、バックライト駆動部１８、比較部１９、算出部２０、表示パネル１、光学センサ５などを備えている。また、算出部２０は、ＸＹＺ算出部２１、重み付け部２２、積分部２３などを備えている。また、表示装置１００は、信号線を介して外部のＰＣ（パーソナルコンピュータ）２００に接続されている。
【００３９】
信号入力部１１は、ＰＣ２００などの外部機器にケーブルを介して接続される接続端子を有しており、ＰＣ２００から入力されるビデオ信号を取得する。信号入力部１１は、取得したビデオ信号を前段ＬＵＴ１２へ出力する。なお、ＰＣ２００から信号入力部１１へ入力されるビデオ信号は、アナログ信号又はデジタル信号のいずれであってもよい。
【００４０】
前段ＬＵＴ１２は、例えば、Ｒ（赤）Ｇ（緑）Ｂ（青）それぞれに対応したＬＵＴを備え、入力されたビデオ信号により表現される入力階調と、その入力階調に対応する表示パネル１（より正確には、後段ＬＵＴ１５）への入力レベル（出力値）とが関連付けられている。前段ＬＵＴ１２は、例えば、入力階調が８ビットで構成され、０〜２５５の２５６階調それぞれに対応する２５６個のエントリに、例えば、１４ビットで表される出力階調（出力値）を格納してあり、ユーザにより階調特性が設定可能（例えば、ガンマ値の設定が可能）に構成してあり、所望の階調特性を実現することができる。
【００４１】
ビデオレベル取得部１３は、表示パネル１の表示面１ａの一部であって、光学センサ５により光の強度が測定される測定領域ＭＡ（一部の表示領域）における各画素のビデオレベルＦ（Ｖ＿Ｒ、Ｖ＿Ｇ、Ｖ＿Ｂ）を取得し、取得したビデオレベルＦをＸＹＺ算出部２１へ出力する。なお、ビデオレベルＦ（Ｖ＿Ｒ、Ｖ＿Ｇ、Ｖ＿Ｂ）は、それぞれＲ（赤）Ｇ（緑）Ｂ（青）のビデオ信号に対応する。
【００４２】
ビデオレベル取得部１３は、測定領域ＭＡにおける各画素の位置情報（例えば、画素の座標値など）を取得し、取得した位置情報を重み付け部２２へ出力する。
【００４３】
色空間変換部１４は、前段ＬＵＴ１２から出力された出力値（出力階調）に対して、例えば、Ｒ、Ｇ、Ｂ成分に対応する変換係数で構成される３×３マトリクス（色変換マトリクスＤ）により、特定の色の成分を強めたり、あるいは弱めたりすることにより、色調整を行って、調整後の出力階調（出力値）を後段ＬＵＴ１５へ出力する。なお、色空間変換部１４は、制御部１０の制御の下、色変換マトリクスＤを用いて、表示パネル１から発せられる光の強度の１つである色度を調整することができる。
【００４４】
後段ＬＵＴ１５は、例えば、Ｒ（赤）Ｇ（緑）Ｂ（青）それぞれに対応したＬＵＴを備え、表示パネル１毎に異なる階調特性を理想的なガンマ値（後段ガンマ、例えば、２．２）になるようにして滑らかな階調表現を実現するために出力階調を補正し、補正後の出力階調（補正信号）を表示パネル駆動部１６へ出力する。
【００４５】
表示パネル駆動部１６は、ゲートドライバ、ソースドライバなどを備え、制御部１０の制御の下に後段ＬＵＴ１５から入力された補正信号に基づいて、表示パネル１を駆動する。
【００４６】
表示パネル１は、例えば、液晶パネルであって、一対のガラス基板が対向配置され、その間隙内に液晶物質である液晶層が形成された構造を有し、一方のガラス基板には複数の画素電極と、画素電極の夫々にドレインを接続したＴＦＴとが、他方のガラス基板には共通電極が設けてある。ＴＦＴのゲート及びソースは、夫々ゲートドライバ及びソースドライバの各出力段に順次接続されている。
【００４７】
表示パネル１は、ゲートドライバから入力されたゲート信号によって各画素のＴＦＴのオン・オフが制御され、ソースドライバから入力される出力電圧（表示パネル１への入力レベル）をオン期間に各画素のＴＦＴに印加することにより、液晶物質の電気光学特性によって決定される光透過率を制御して映像を階調表示する。表示パネル１は一対の偏光板で挟まれ、さらにその背面にバックライト１７を配置してある。
【００４８】
バックライト駆動部１８は、制御部１０の制御により、駆動信号（ブライト値）をバックライト１７へ出力する。これにより、バックライト１７から発する光、すなわち、表示パネル１の光の強度の１つである輝度を調整することができる。
【００４９】
光学センサ５は、例えば、人間の目に対応する分光感度と略同一の感度を有する３つのセンサを備え、三刺激値と称されるＸ、Ｙ、Ｚの３つの値を測定することができる。光学センサ５は、表示パネル１の表示面１ａの測定領域ＭＡの光の強度を測定し、測定値Ｘｓｎｓ、Ｙｓｎｓ、Ｚｓｎｓを比較部１９へ出力する。
【００５０】
算出部２０は、測定領域ＭＡに画像（測光用の画像やパターンではない画像）を表示するための画像データであるビデオレベルＦに基づいて測定領域ＭＡの各画素から発せられる光の強度を算出する画素強度算出部として機能するＸＹＺ算出部２１を有する。
【００５１】
より具体的には、ＸＹＺ算出部２１は、制御部１０からブライト比率Ｂ、パネルクロマティシティＣ、色変換マトリクスＤ、色度座標ｘｙを三刺激値ＸＹＺに変換するための変換パラメータＥなどを取得するとともに、ビデオレベル取得部１３から測定領域ＭＡでのビデオレベルＦを取得して、測定領域ＭＡの各画素の光の強度である三刺激値ＸＹＺを算出する。
【００５２】
ここで、三刺激値ＸＹＺの算出は、式（１）により求めることができる。また、ブライト比率Ｂ、パネルクロマティシティＣ、色変換マトリクスＤ、変換パラメータＥ、ビデオレベルＦも式（１）で表わすことができる。
【００５３】
【数１】
2011090046.tif 000003
【００５４】
ブライト比率Ｂにおいて、Ｂｎｏｗは、バックライト１７の輝度（明るさ）を設定すべく出力される調整値であり、Ｂ＿ｘｙは、パネルクロマティシティ測定時のブライト値である。パネルクロマティシティ測定時には、Ｂｎｏｗ＝Ｂ＿ｘｙとなり、ブライト比率Ｂは１となる。
【００５５】
パネルクロマティシティＣは、色度などを示すものであり、三刺激値ＸＹＺの比率を示すｘｙｚに対応している。ここで、色は混色比で表わされるので、ｘ＋ｙ＋ｚ＝１（１００％）となるので、ｘ、ｙが分かればｚも求めることができる。なお、ｘ、ｙは色度図の座標値である。
【００５６】
色変換マトリクスＤは、特定の色を任意に強めたり、弱めたりするための行列であり、色変換を行わない場合には、１の対角行列となる。
【００５７】
ビデオレベルＦの各値は、各画素入力レベルの最大値が１となるように正規化した値を用いる。式（１）はビデオレベル取得部１３以降のガンマ係数がγ＝１であることを前提としており、表示パネル１のガンマ係数がγ＝１でない時は後段ＬＵＴ１５にて補正する必要がある。後段ＬＵＴ１５のような補正手段を設けられない場合は、式（１）にγ＝１でない表示パネル1を加味する補正パラメータを追加する必要がある。
【００５８】
三刺激値ＸＹＺを算出する場合、算出に必要なパラメータのうち、動的に変化するものは、バックライト１７の調整値Ｂｎｏｗ及びビデオレベルＦである。従って、他のパラメータは、表示装置１００の工場出荷時またはキャリブレーション時に決定可能なものであるから、ＥＰＲＯＭなどの記憶部（不図示）に記憶するようにすればよい。
【００５９】
変換パラメータＥの各パラメータＨｒ、Ｈｇ、Ｈｂの決定は、表示装置１００の工場出荷時またはキャリブレーション時に行うことができる。具体的には、表示パネル１のパネルクロマティシティＣを測定後、色変換なしの白最大階調を測定すると、各パラメータＨｒ、Ｈｇ、Ｈｂは、式（２）で求めることができる。式（２）は、さらに式（３）のようにすることができる。ここで、ＸＹＺは、白最大階調で測定した値である。
【００６０】
本来、パネルクロマティシティＣの色度ｘｙには、輝度（明るさ）の情報は存在しない。そこで、輝度に関する情報であるブライト比率Ｂと、Ｂ＝１の時に算出した変換パラメータＥにより、輝度を含んだ情報であるＸＹＺを算出して求めることができる。
【００６１】
重み付け部２２は、ＸＹＺ算出部２１で算出した三刺激値ＸＹＺ（光の強度）に対して測定領域Ａの各画素に応じた重み付け、すなわち画素別の重み付けを行う。重み付け部２２は、ＸＹＺ算出部２１から算出された三刺激値ＸＹＺ、ビデオレベルＦなどを取得する。また、重み付け部２２は、ビデオレベル取得部１３から測定領域ＭＡの各画素の位置情報を取得し、制御部１０から各種パラメータ（例えば、光学センサ５への角度、ビデオレベルによる視野角、光学センサ５までの距離、表示パネル１の中央部からの減衰率など）を取得する。
【００６２】
測定領域ＭＡの任意の画素ｉｊの座標を（ｉ、ｊ）で表わし、画素ｉｊの三刺激値をそれぞれＸｉｊ、Ｙｉｊ、Ｚｉｊとする。また、画素ｉｊに対応する重み付け係数をＫｉｊとする。重み付け部２２は、画素ｉｊの重み付け後の三刺激値をそれぞれＸｉｊ×Ｋｉｊ、Ｙｉｊ×Ｋｉｊ、Ｚｉｊ×Ｋｉｊにより算出する。ここで、重み付け係数Ｋｉｊは、上述の光学センサ５への角度、ビデオレベルによる視野角、光学センサ５までの距離、表示パネル１の中央部からの減衰率などを考慮して設定することができる。
【００６３】
図４は本実施の形態の光の強度に対する重み付けの一例を示す説明図である。光学センサ５は、表示面１ａの測定領域ＭＡから発せられる光を測定することができる。測定領域ＭＡの各画素と光学センサ５との距離が離れるほど、当該画素の出力（当該画素からの光）が光学センサ５の測定値に与える影響は小さくなる。
【００６４】
そこで、図４に示すように、表示面１ａの画素の座標（ｉ、ｊ）に対応させた重み付け係数Ｋｉｊを決定し、測定領域ＭＡの各画素の三刺激値に対して重み付け係数Ｋｉｊで重み付けを行う。図４の例では、画素の位置が光学センサ５から離れるほど、重み付け係数Ｋｉｊを小さくすればよい。なお、図４の例では、測定領域ＭＡが半円形で定義されているが、測定領域ＭＡの表示面１ａ上の形状は半円形に限定されるものではなく、光学センサ５の配置（距離や向きなど）、種類などに応じて適宜定めることができる。
【００６５】
また、距離に加えて、あるいは距離に代えて、視野角を考慮して重み付けを行うこともできる。すなわち、光学センサ５の受光面５ａは、表示パネル１の表示面１ａに対して傾斜しているので、視野角も光学センサ５による画素の出力（画素からの光）の測定値に影響を与える。さらに、視野角は表示パネル１の階調によっても変化するので、影響がある場合には、階調に応じて重み付けをすることもできる。
【００６６】
重み付け係数は、メモリなどの記憶部（不図示）に距離(または視野角、階調)と重み付け係数を対応づけて記憶しておき、各画素の距離(または視野角、階調)に対応する重み付け係数を記憶部から都度読み出して用いることができる。例えば、表示面正面に対して、一方向のみの視野角毎 (例えば、水平１０度間隔)と階調毎(例えば、１６階調間隔)、視野角毎と階調毎に減衰率を記憶した２次元のテーブルを２種類用意しておき、センサとの水平、垂直方向での視野角に対する重み付けを行い、階調に応じて選択すべき階調を補間によって求める。補間処理は、線形補間又は２次近似補間などで行う。一方向のみの視野角に対する重み付けデータと、限られた階調に対する重み付けデータというように記憶するデータを最小限にすることで、より安価なメモリで済むようになる。記憶部（不図示）に重み付けデータを記憶させるのではなく、距離(又は視野角、階調)から重み付け係数を導く関数のみを記憶し算出により重み付け係数を求めるようにしてもよい。また、重み付け係数は、測定領域Ａの画素毎に設けてもよく、あるいは測定領域Ａを複数の部分領域に分けて、複数の画素を纏めた部分領域毎に設けてもよい。本実施の形態では、光学センサ５の受光面５ａを表示面１ａに対向させて設けていないので、重み付けを行うことにより、仮想的に受光面５ａを表示面１ａに対向させて設けたのと同様の測定値を得るためである。従って、光学センサ５の取り付け方によって、重み付けの程度を適宜決定すればよい。また、光学センサ５の受光面５ａを表示面１ａに対向させて設けていない場合であっても、等価的に対向させた場合と同様の測定値が得られるのでれば、重み付け処理を省略することもできる。
【００６７】
積分部２３は、重み付け部２２で重み付けした各画素の三刺激値ＸＹＺ（光の強度）を測定領域ＭＡの各画素について合計した値を、目標値あるいは理想値としての三刺激値Ｘｔｇｔ、Ｙｔｇｔ、Ｚｔｇｔ（発光強度）として算出する。積分部２３は、算出した三刺激値Ｘｔｇｔ、Ｙｔｇｔ、Ｚｔｇｔを比較部１９へ出力する。
【００６８】
なお、光学センサ５の配置や種類などによって、重み付けを行う必要がない状況では、積分部２３は、ＸＹＺ算出部２１で算出した三刺激値ＸＹＺ（光の強度）を測定領域ＭＡの各画素について合計した値を、目標値あるいは理想値としての三刺激値Ｘｔｇｔ、Ｙｔｇｔ、Ｚｔｇｔとして算出することもできる。
【００６９】
比較部１９は、算出された三刺激値Ｘｔｇｔ、Ｙｔｇｔ、Ｚｔｇｔと、測定された三刺激値Ｘｓｎｓ、Ｙｓｎｓ、Ｚｓｎｓとを比較し、両者の差分ΔＸ（Ｘｔｇｔ−Ｘｓｎｓ）、ΔＹ（Ｙｔｇｔ−Ｙｓｎｓ）、ΔＺ（Ｚｔｇｔ−Ｚｓｎｓ）を算出する。比較部１９は、算出した差分ΔＸ、ΔＹ、ΔＺを制御部１０へ出力する。
【００７０】
制御部１０は、ＣＰＵ、ＲＡＭ、ＲＯＭなどで構成され、バスを介して表示装置１００内の各部に接続され、これら各部の動作を制御する。
【００７１】
制御部１０は、比較部１９での比較結果に応じて、表示パネル１の光の強度を調整する調整部としての機能を有する。制御部１０は、比較部１９で算出した差分ΔＹが所定の閾値Ｂｒｔｈ以上である場合、バックライト駆動部１８に命令し、ΔＹが小さくなるようにバックライト１７の輝度（明るさ）を調整する。この場合、調整周期（光学センサ５による測定周期）をＴ（例えば、１０秒）とし、調整周期Ｔ内の調整回数をＮ（例えば、１０回）とすると、１回の調整時にΔＹ／Ｎだけ調整する。これにより、急激に輝度（明るさ）が変化してユーザに違和感を与えることを防止することができる。
【００７２】
制御部１０は、比較部１９で算出した差分ΔＹが閾値Ｂｒｔｈ未満である場合、色空間変換部１４に命令し、ΔＸ、ΔＺが小さくなるように表示パネル１の色度を調整する。この場合、調整周期（光学センサ５による測定周期）をＴ（例えば、１０秒）とし、調整周期Ｔ内の調整回数をＮ（例えば、１０回）とすると、１回の調整時にΔＸ／Ｎ、ΔＺ／Ｎだけ調整する。これにより、急激に色度（色味や色合い）が変化してユーザに違和感を与えることを防止することができる。
【００７３】
次に、本実施の形態の表示装置１００の動作について説明する。図５は本実施の形態の画像表示方法の処理手順を示すフローチャートである。なお、以下の処理は、図３に示す各部がそれぞれ行う処理で実現することもできる。また、以下の処理は、処理手順を示すプログラムコードを記録媒体に記録しておき、当該記録媒体に記録されたプログラムコードをＲＡＭにロードしてＣＰＵに実行させることにより実現することもできる。以下では、制御部１０が一連の処理を行うものとして説明する。
【００７４】
制御部１０は、調整タイミングであるか否かを判定し（Ｓ１１）、調整タイミングでない場合（Ｓ１１でＮＯ）、ステップＳ１１の処理を続ける。調整タイミングである場合（Ｓ１１でＹＥＳ）、制御部１０は、測定領域ＭＡの各画素のビデオレベルＦを取得し（Ｓ１２）、その時に設定されているバックライト１７の調整値を取得する（Ｓ１３）。
【００７５】
制御部１０は、測定領域ＭＡの各画素の三刺激値（光の強度）を算出し（Ｓ１４）、算出した三刺激値に重み付けを行う（Ｓ１５）。制御部１０は、重み付けした三刺激値を測定領域ＭＡの各画素について合計して測定領域ＭＡの発光強度（三刺激値Ｘｔｇｔ、Ｙｔｇｔ、Ｚｔｇｔ）を算出する（Ｓ１６）。
【００７６】
制御部１０は、光学センサ５を用いて表示パネル１の測定領域ＭＡの光の強度（三刺激値Ｘｓｎｓ、Ｙｓｎｓ、Ｚｓｎｓ）を測定し（Ｓ１７）、測定値と算出値との差分ΔＸ、ΔＹ、ΔＺを算出する（Ｓ１８）。制御部１０は、差分ΔＹと閾値Ｂｒｔｈとを比較して、差分ΔＹが閾値Ｂｒｔｈ以上であるか否かを判定する（Ｓ１９）。
【００７７】
差分ΔＹが閾値Ｂｒｔｈ以上である場合（Ｓ１９でＹＥＳ）、制御部１０は、バックライト１７の輝度を差分ΔＹがなくなるよう調整する（Ｓ２０）。差分ΔＹが閾値Ｂｒｔｈ未満である場合（Ｓ１９でＮＯ）、制御部１０は、表示パネル１の色度を差分ΔＸ、ΔＺがなくなるよう調整する（Ｓ２１）。
【００７８】
制御部１０は、処理を終了するか否かを判定し（Ｓ２２）、終了でない場合（Ｓ２２でＮＯ）、ステップＳ１１以降の処理を続け、終了である場合（Ｓ２２でＹＥＳ）、処理を終了する。
【００７９】
上述のとおり、本実施の形態では、光学センサ５は、表示パネル１の複数の画素で構成される一部の表示領域（表示パネル上の光学センサ５による測定領域ＭＡ）からの光の強度（三刺激値）を測定する。算出部２０は、測定領域ＭＡに画像を表示するための各画素のビデオレベル（画像データ）に基づいて測定領域ＭＡから発せられる発光強度（三刺激値）を算出する。比較部１９は、算出した光の強度と測定した光の強度とを比較し、制御部１０は、比較部１９での比較結果に応じて、表示パネル１の光の強度（輝度、色度など）を調整する。すなわち、測光用画像を用いることなく、表示パネル１に表示される画像のうち、一部の測定領域ＭＡの画像（測光用画像ではない画像）に対応するビデオレベル（画像データ）から、測定領域ＭＡから発せられる光の強度を理想値又は目標値として算出し、算出した光の強度と、測定領域ＭＡからの光を実際に測定して得られた光の強度とを比較することで、実際の光の強度を理想値又は目標値に近づけるよう輝度や色度を調整する。すなわち、本実施の形態では、測光用の画像やパターンを表示することなく、ユーザが作業中の画像を表示しながらキャリブレーション作業を行うことができる。これにより、測光用画像や測光用パターンを表示パネル１に表示させる必要がないため、本来の表示画像が測光用画像等で遮られることがなく、表示パネル１の画面全体を１００％使用することができ、ユーザの作業性が向上する。すなわち、測光や測色のため作業中の画像を遮ることがなく、ユーザの作業を阻害しないため、リアルタイム又は任意に測光や測色の作業を実行することができ、常時安定した表示が可能となる。
【００８０】
また、本実施の形態では、ＸＹＺ算出部２１は、測定領域ＭＡに画像を表示するためのビデオレベル（画像データ）に基づいて測定領域ＭＡの各画素から発せられる光の強度（三刺激値）を算出する。積分部２３は、ＸＹＺ算出部２１で算出した三刺激値を測定領域ＭＡの各画素について合計した値に基づいて光の強度（三刺激値）を算出する。各画素における光の強度（三刺激値）を測定領域ＭＡ中の画素について合計した値を測定領域ＭＡにおける光の強度（三刺激値）として算出するので、測定領域ＭＡに表示される実際の画像の階調が不均一な場合や画像に斑な模様が存在している場合などの測光用画像ではない実際の画像を表示するだけで、測定領域ＭＡ全体としての光の強度を安定に求めることができる。
【００８１】
また、本実施の形態では、重み付け部２２は、ＸＹＺ算出部２１で算出した三刺激値に対して測定領域ＭＡの各画素に応じた重み付けを行う。例えば、測定領域ＭＡからの光の強度が光学センサ５で測定される際に測定領域ＭＡの各画素の位置に応じて光の強度の度合いが異なる場合には、重み付けは、測定領域ＭＡの各画素の位置情報に応じて行うことができる。積分部２３は、重み付け部２２で重み付けした三刺激値を測定領域ＭＡの各画素について合計した値に基づいて光の強度（三刺激値）を算出する。これにより、光学センサ５と測定領域ＭＡとの位置関係に応じて測定領域ＭＡにおける光の強度を算出することができる。
【００８２】
また、本実施の形態では、重み付け部２２は、測定領域ＭＡの各画素の光学センサ５からの距離に応じて重み付けする。光学センサ５からの距離が離れるほど、測定領域ＭＡにおける画素の出力が光学センサ５での測定値に与える影響は小さくなるため、測定値に与える影響度合いに応じた重み付けをすることにより、測定領域ＭＡの光の強度を精度よく算出することができる。
【００８３】
また、本実施の形態では、重み付け部２２は、測定領域ＭＡの各画素と光学センサ５とが構成する角度に応じて重み付けする。表示パネル１にはその原理上、表示面に対し斜めから見ると表示が正常に見えないものがある。特に液晶パネルでは正面に対する角度が広くなればなるほど、輝度が減少したり、特定の色が見えにくくなったりする。つまり、各画素と光学センサ５と表示パネル面が構成する角度が小さくなるほど、測定領域ＭＡにおける画素の出力が光学センサ５での測定値に与える影響は小さくなるため、測定値に与える影響度合いに応じた重み付けをすることにより、測定領域ＭＡの光の強度を精度よく算出することができる。
【００８４】
また、本実施の形態では、光学センサ５を表示パネル１の表示面１ａを遮らない位置に設けてある。これにより、光学センサ５で表示パネル１の一部が遮られることを防止することができ、表示パネル１の画面全体を１００％使用することができ、ユーザの作業性が向上する。
【００８５】
また、本実施の形態では、光の強度は、輝度又は色度の少なくとも一方を含む。これにより、測光用画像や測光用パターンを用いることなく、輝度又は色度の少なくとも一方を調整することができる。
【００８６】
また、本実施の形態では、測光用の特別な画像やパターンを表示させる必要がなく、実際にユーザが使用する画像の一部の領域（測定領域ＭＡ）を用いて三刺激値（光の強度）の算出値と測定値とを比較し、比較結果に応じて表示パネル１の輝度や色度を調整するので、常に三刺激値を測定することができ、常に安定した輝度、色度を維持することができるので表示装置１００の品質向上に大きく資するものである。
【００８７】
実施の形態２
図６は実施の形態２に係る表示装置１００の構成を示す模式的断面図である。実施の形態２では、上述の実施の形態に係る表示装置（図２（ｂ）参照）に、光学センサ５への光を集光するレンズ７を追加した構成としている。レンズ７は、例えば、表裏が凸面に形成された凸レンズなどを用いることができ、光学センサ５の受光面５ａに面して配設される。また、レンズ７は、表示パネル１の表示面１ａと光学センサ５の受光面５ａとの間に配設されるが、枠状部材２の凹部２ｃ内、すなわち表示面１ａの外側に配設される。
【００８８】
このように、表示パネル１の表示面１ａと光学センサ５の受光面５ａとの間にレンズ７を配設することによって、表示面１ａからの出射光と、表示面１ａにて反射された外部光の反射光とを光学センサ５の受光面５ａに集光することができるため、光学センサ５の測定精度を向上することができ、表示装置１００のキャリブレーション処理を一層高精度に行うことができる。また、レンズ７を表示面１ａの外側に配設することによって、レンズ７が画像表示の妨げとなることもない。
【００８９】
実施の形態３
図７は実施の形態３に係る表示装置１００の構成を示す模式的断面図であり、図７（ａ）は光学センサ５の近傍における表示装置１００の構成を示し、図７（ｂ）は後述の導光部材の構成を示す。実施の形態３に係る表示装置１００は、上述の実施の形態に係る表示装置１００と同様に、枠状部材２の内側面に形成された凹部２ｃ内に光学センサ５が配設されている。ただし、実施の形態３に係る表示装置１００は、凹部２ｃの開口を閉塞するように導光部材８が設けられており、光学センサ５は、受光面５ａが導光部材８に対向するように配設されている。また、導光部材８は、表示パネル１の表示面１ａの外側に配されるように凹部２ｃ内に収められている。
【００９０】
導光部材８は、断面が鋸歯状（略三角形の突起が規則的に並べられた形状）をなし、ガラス又は透明な合成樹脂等の透光性の素材で形成された光学部材であり、光を透過することができる。より具体的には、導光部材８は、凹部２ｃの開口を閉塞する板状であり、凹部２ｃの内側に配される一面が平坦に形成され、この平坦面が光学センサ５の受光面５ａに対向するように導光部材８は配設される。また、導光部材８の反対面は、断面視が略三角形の細長い突起が並べられた段状に形成され、当該突起は表示パネル１の表示面１ａに沿う方向に細長く形成され、複数の突起が表示面１ａに対して略平行に並べられている。
【００９１】
導光部材８の各突起は、一方の面が光を導光部材８の内部（すなわち、凹部２ｃの内部）へ入射させる採光面８ａとなり、他方の面が光を遮蔽する遮光面８ｂとなる。導光部材８には、採光面８ａ及び遮光面８ｂを有する細長い突起が段状に並べられることにより採光面８ａと遮光面８ｂとが交互に並べて配されている。
【００９２】
導光部材８の採光面８ａは、表示パネル１の表示面１ａへ向けて設けられ、表示面１ａに対して略平行に設けられている。導光部材８の遮光面８ｂは、表示パネル１の前方（図７（ａ）においては上方）へ向けて設けられ、採光面８ａに対する角度が鋭角（６０°など）となるように設けられている。遮光面８ｂは、例えば、透光性の導光部材８に遮光塗料を塗布するなどにより、導光部材８内への光の入射を遮蔽したものである。
【００９３】
枠状部材２の凹部２ｃの開口に導光部材８を設けることにより、表示パネル１の表示面１ａからの出射光と、表示面１ａにて反射された外部光の反射光とを、表示面１ａに向けて平行に設けられた採光面８ａから導光部材８内に入射させ、凹部２ｃ内に配設された光センサ５の受光面５ａへ光を導くことができる（図７（ｂ）の実線の矢印参照）。外部から導光部材８へ直接に照射された外部光は、遮光面８ｂにて遮光されて導光部材８内へ入射せず光学センサ５の受光面５ａにて受光されない。
【００９４】
実施の形態４
図８は実施の形態４に係る表示装置１００の構成を示す模式的断面図である。実施の形態４に係る表示装置１００は、凹部２ｃ内に配設された光学センサ５の受光面５ａへ光を導くミラー９を備えている。光学センサ５は、受光面５ａが表示パネル１の表示面１ａと同じ方向（すなわち、表示装置１００の前方）になるように、凹部２ｃ内に配設されている。光学センサ５は、凹部２ｃ内へ直接に入射した外部光が受光面２ａにて受光されないように、凹部２ｃの奥方に配設されている。
【００９５】
ミラー９は、表示パネル１の表示面１ａ及び光学センサ５の受光面５ａへ向けて（すなわち、表示装置１００の後方へ向けて）設けられており、凹部２ｃの内面に表示面１及び受光面５ａと略平行に設けられている。これにより、凹部２ｃ内へ直接に入射した外部光がミラー９へ入射して反射されることはない。また、表示パネル１の表示面１ａからの出射光及び表示面１ａにて反射された外部光の反射光（図８の実線の矢印参照）は、凹部２ｃ内にてミラー９へ入射し、光学センサ５の受光面５ａへ向けて反射され、受光面５ａにて受光される。
【００９６】
なお、上述の実施の形態では、光学センサ５が表示面１ａを遮らない位置に設ける構成であったが、光学センサ５の寸法が小さいなどの理由で表示面１ａに対設させても作業中の画像の表示にあまり影響を与えない場合には、必ずしも光学センサ５を、表示面１ａを遮らない位置に設ける必要はない。ただし、上述の実施の形態では、光学センサ５が表示面１ａを遮らないので、ユーザの作業性は一層向上する。
【００９７】
上述の実施の形態では、表示装置の表示部として液晶パネルを用いた構成であるが、表示部は液晶パネルに限定されるものではなく、有機ＥＬ、ＣＲＴ、ＰＤＰなど他の表示デバイスにおいても、本発明を適用することができる。
【００９８】
上述の実施の形態では、作業中の画像をそのままの状態で測光又は測色する構成であったが、ユーザが認識できない範囲、あるいはユーザが認識できないタイミングで測定領域ＭＡの輝度又はＲＧＢゲインを変化させることも可能である。
【００９９】
上述の実施の形態では、輝度と色度の双方を測定し、調整する構成であるが、これに限定されず、どちらか一方を測定し、調整する構成であってもよい。
【０１００】
上述の実施の形態では、カラーモニタを用いた構成であるが、これに限定されず、モノクロモニタにおいても本発明を適用することができる。その際、色調整に関わる構成は不要となる。
【０１０１】
上述の実施の形態では、表示装置単独で一連の処理を行う構成であるが、これに限定されず、同様の処理を行うコンピュータプログラムを表示装置に接続するパーソナルコンピュータにインストールし、処理の一部をパーソナルコンピュータに担わせるようにしてもよい。
【符号の説明】
【０１０２】
１００  液晶表示装置
１  表示パネル
５  光学センサ(測定部)
１０  制御部（調整部）
１１  信号入力部
１２  前段ＬＵＴ
１３  ビデオレベル取得部
１４  色空間変換部
１５  後段ＬＵＴ
１６  表示パネル駆動部
１７  バックライト
１８  バックライト駆動部
１９  比較部
２０  算出部
２１  ＸＹＺ算出部(画素強度算出部)
２２  重み付け部
２３  積分部
ＭＡ  測定領域(一部の表示領域)
【図１】
2011090046.tif 000004
【図２】
2011090046.tif 000005
【図３】
2011090046.tif 000006
【図４】
2011090046.tif 000007
【図５】
2011090046.tif 000008
【図６】
2011090046.tif 000009
【図７】
2011090046.tif 000010
【図８】
2011090046.tif 000011
【手続補正書】
【提出日】平成22年9月14日(2010.9.14)
【手続補正１】
【補正対象書類名】明細書
【補正対象項目名】０００８
【補正方法】変更
【補正の内容】
【０００８】
第１発明に係る表示装置は、画像を表示する表示パネルを備える表示装置において、前記表示パネルの複数の画素で構成される一部の表示領域からの光の強度を測定する測定部と、前記表示領域に画像を表示するための各画素の画像データ及び各画素の位置情報に基づいて該表示領域から発せられる光の強度を算出する算出部と、該算出部で算出した光の強度と前記測定部で測定した光の強度とを比較する比較部と、該比較部での比較結果に応じて、前記表示パネルの光の強度を調整する調整部と
を備えることを特徴とする。
【手続補正２】
【補正対象書類名】明細書
【補正対象項目名】００１５
【補正方法】変更
【補正の内容】
【００１５】
第８発明に係るコンピュータプログラムは、コンピュータに、画像を表示する表示パネルからの光の強度を調整させるためのコンピュータプログラムにおいて、コンピュータに、前記表示パネルの一部の表示領域からの光の強度を測定するステップと、前記表示領域に画像を表示するための各画素の画像データ及び各画素の位置情報に基づいて該表示領域から発せられる光の強度を算出するステップと、算出された光の強度と測定された光の強度とを比較するステップと、該比較するステップでの比較結果に応じて、前記表示パネルの光の強度を調整するステップとを実行させることを特徴とする。
【手続補正３】
【補正対象書類名】明細書
【補正対象項目名】００１７
【補正方法】変更
【補正の内容】
【００１７】
第１０発明に係る画像表示方法は、画像を表示する表示パネルを備える表示装置における画像表示方法において、前記表示パネルの複数の画素で構成される一部の表示領域からの光の強度を測定部で測定するステップと、前記表示領域に画像を表示するための各画素の画像データ及び各画素の位置情報に基づいて該表示領域から発せられる光の強度を算出するステップと、算出された光の強度と測定された光の強度とを比較するステップと、該比較するステップでの比較結果に応じて、調整部で前記表示パネルの光の強度を調整するステップとを含むことを特徴とする。
【手続補正４】
【補正対象書類名】明細書
【補正対象項目名】００１８
【補正方法】変更
【補正の内容】
【００１８】
第１発明、第８発明、第９発明及び第１０発明にあっては、測定部（例えば、光学センサなど）は、表示パネルの複数の画素で構成される一部の表示領域（表示パネル上の光学センサによる測定領域）からの光の強度を測定する。算出部は、表示領域に画像を表示するための各画素の画像データ及び各画素の位置情報に基づいて当該表示領域から発せられる光の強度を算出する。比較部は、算出した光の強度と測定した光の強度とを比較し、調整部は、比較部での比較結果に応じて、表示パネルの光の強度を調整する。すなわち、測光用画像を用いることなく、表示パネルに表示される画像のうち、一部の表示領域（測定領域）の画像（測光用画像ではない画像）に対応する画像データから、表示領域から発せられる光の強度を理想値又は目標値として算出し、算出した光の強度と、表示領域からの光を実際に測定して得られた光の強度とを比較することで、実際の光の強度を理想値又は目標値に近づけるよう調整する。これにより、測光用画像や測光用パターンを表示パネルに表示させる必要がないため、本来の表示画像が測光用画像等で遮られることがなく、表示パネルの画面全体を１００％使用することができ、ユーザの作業性が向上する。
【手続補正５】
【補正対象書類名】特許請求の範囲
【補正対象項目名】請求項１
【補正方法】変更
【補正の内容】
【請求項１】
画像を表示する表示パネルを備える表示装置において、
前記表示パネルの複数の画素で構成される一部の表示領域からの光の強度を測定する測定部と、
前記表示領域に画像を表示するための各画素の画像データ及び各画素の位置情報に基づいて該表示領域から発せられる光の強度を算出する算出部と、
該算出部で算出した光の強度と前記測定部で測定した光の強度とを比較する比較部と、
該比較部での比較結果に応じて、前記表示パネルの光の強度を調整する調整部と
を備えることを特徴とする表示装置。
【手続補正６】
【補正対象書類名】特許請求の範囲
【補正対象項目名】請求項８
【補正方法】変更
【補正の内容】
【請求項８】
コンピュータに、画像を表示する表示パネルからの光の強度を調整させるためのコンピュータプログラムにおいて、
コンピュータに、
前記表示パネルの一部の表示領域からの光の強度を測定するステップと、
前記表示領域に画像を表示するための各画素の画像データ及び各画素の位置情報に基づいて該表示領域から発せられる光の強度を算出するステップと、
算出された光の強度と測定された光の強度とを比較するステップと、
該比較するステップでの比較結果に応じて、前記表示パネルの光の強度を調整するステップと
を実行させることを特徴とするコンピュータプログラム。
【手続補正７】
【補正対象書類名】特許請求の範囲
【補正対象項目名】請求項１０
【補正方法】変更
【補正の内容】
【請求項１０】
画像を表示する表示パネルを備える表示装置における画像表示方法において、
前記表示パネルの複数の画素で構成される一部の表示領域からの光の強度を測定部で測定するステップと、
前記表示領域に画像を表示するための各画素の画像データ及び各画素の位置情報に基づいて該表示領域から発せられる光の強度を算出するステップと、
算出された光の強度と測定された光の強度とを比較するステップと、
該比較するステップでの比較結果に応じて、調整部で前記表示パネルの光の強度を調整するステップと
を含むことを特徴とする画像表示方法。
【手続補正書】
【提出日】平成22年11月23日(2010.11.23)
【手続補正１】
【補正対象書類名】明細書
【補正対象項目名】０００８
【補正方法】変更
【補正の内容】
【０００８】
第１発明に係る表示装置は、画像を表示する表示パネルを備える表示装置において、前記表示パネルの複数の画素で構成される一部の表示領域からの光の強度を測定する測定部と、該測定部が測定する表示領域に画像を表示するための各画素の画像データ及び前記測定部を基準とした各画素の位置情報に基づいて該表示領域から発せられる光の強度を算出する算出部と、該算出部で算出した光の強度と前記測定部で測定した光の強度とを比較する比較部と、該比較部での比較結果に応じて、前記表示パネルの光の強度を調整する調整部とを備えることを特徴とする。
【手続補正２】
【補正対象書類名】明細書
【補正対象項目名】００１５
【補正方法】変更
【補正の内容】
【００１５】
第８発明に係るコンピュータプログラムは、コンピュータに、画像を表示する表示パネルからの光の強度を調整させるためのコンピュータプログラムにおいて、コンピュータに、前記表示パネルの一部の表示領域からの光の強度を測定部で測定するステップと、該ステップが測定する表示領域に画像を表示するための各画素の画像データ及び前記測定部を基準とした各画素の位置情報に基づいて該表示領域から発せられる光の強度を算出するステップと、算出された光の強度と測定された光の強度とを比較するステップと、該比較するステップでの比較結果に応じて、前記表示パネルの光の強度を調整するステップとを実行させることを特徴とする。
【手続補正３】
【補正対象書類名】明細書
【補正対象項目名】００１７
【補正方法】変更
【補正の内容】
【００１７】
第１０発明に係る画像表示方法は、画像を表示する表示パネルを備える表示装置における画像表示方法において、前記表示パネルの複数の画素で構成される一部の表示領域からの光の強度を測定部で測定するステップと、前記測定部が測定する表示領域に画像を表示するための各画素の画像データ及び前記測定部を基準とした各画素の位置情報に基づいて該表示領域から発せられる光の強度を算出するステップと、算出された光の強度と測定された光の強度とを比較するステップと、該比較するステップでの比較結果に応じて、調整部で前記表示パネルの光の強度を調整するステップとを含むことを特徴とする。
【手続補正４】
【補正対象書類名】明細書
【補正対象項目名】００１８
【補正方法】変更
【補正の内容】
【００１８】
第１発明、第８発明、第９発明及び第１０発明にあっては、測定部（例えば、光学センサなど）は、表示パネルの複数の画素で構成される一部の表示領域（表示パネル上の光学センサによる測定領域）からの光の強度を測定する。算出部は、測定部が測定する表示領域に画像を表示するための各画素の画像データ及び測定部を基準とした各画素の位置情報に基づいて当該表示領域から発せられる光の強度を算出する。比較部は、算出した光の強度と測定した光の強度とを比較し、調整部は、比較部での比較結果に応じて、表示パネルの光の強度を調整する。すなわち、測光用画像を用いることなく、表示パネルに表示される画像のうち、一部の表示領域（測定領域）の画像（測光用画像ではない画像）に対応する画像データから、表示領域から発せられる光の強度を理想値又は目標値として算出し、算出した光の強度と、表示領域からの光を実際に測定して得られた光の強度とを比較することで、実際の光の強度を理想値又は目標値に近づけるよう調整する。これにより、測光用画像や測光用パターンを表示パネルに表示させる必要がないため、本来の表示画像が測光用画像等で遮られることがなく、表示パネルの画面全体を１００％使用することができ、ユーザの作業性が向上する。
【手続補正５】
【補正対象書類名】特許請求の範囲
【補正対象項目名】全文
【補正方法】変更
【補正の内容】
【特許請求の範囲】
【請求項１】
画像を表示する表示パネルを備える表示装置において、
前記表示パネルの複数の画素で構成される一部の表示領域からの光の強度を測定する測定部と、
該測定部が測定する表示領域に画像を表示するための各画素の画像データ及び前記測定部を基準とした各画素の位置情報に基づいて該表示領域から発せられる光の強度を算出する算出部と、
該算出部で算出した光の強度と前記測定部で測定した光の強度とを比較する比較部と、
該比較部での比較結果に応じて、前記表示パネルの光の強度を調整する調整部と
を備えることを特徴とする表示装置。
【請求項２】
前記表示領域に画像を表示するための画像データに基づいて該表示領域の各画素から発せられる光の強度を算出する画素強度算出部を備え、
前記算出部は、
前記画素強度算出部で算出した光の強度を前記表示領域の各画素について合計した値に基づいて光の強度を算出するように構成してあることを特徴とする請求項１に記載の表示装置。
【請求項３】
前記画素強度算出部で算出した光の強度に対して前記表示領域の各画素に応じた重み付けを行う重み付け部を備え、
前記算出部は、
前記重み付け部で重み付けした光の強度を前記表示領域の各画素について合計した値に基づいて光の強度を算出するように構成してあることを特徴とする請求項２に記載の表示装置。
【請求項４】
前記重み付け部は、
前記表示領域の各画素の前記測定部からの距離に応じて重み付けするように構成してあることを特徴とする請求項３に記載の表示装置。
【請求項５】
前記重み付け部は、
前記表示領域の各画素と前記測定部とが構成する角度に応じて重み付けするように構成してあることを特徴とする請求項４に記載の表示装置。
【請求項６】
前記測定部は、
前記表示パネルの表示面を遮らない位置に設けてあることを特徴とする請求項１乃至請求項５のいずれか１項に記載の表示装置。
【請求項７】
前記光の強度は、輝度又は色度の少なくとも一方を含むことを特徴とする請求項１乃至請求項６のいずれか１項に記載の表示装置。
【請求項８】
コンピュータに、画像を表示する表示パネルからの光の強度を調整させるためのコンピュータプログラムにおいて、
コンピュータに、
前記表示パネルの一部の表示領域からの光の強度を測定部で測定するステップと、
該ステップが測定する表示領域に画像を表示するための各画素の画像データ及び前記測定部を基準とした各画素の位置情報に基づいて該表示領域から発せられる光の強度を算出するステップと、
算出された光の強度と測定された光の強度とを比較するステップと、
該比較するステップでの比較結果に応じて、前記表示パネルの光の強度を調整するステップと
を実行させることを特徴とするコンピュータプログラム。
【請求項９】
請求項８に記載のコンピュータプログラムを記録してあることを特徴とするコンピュータでの読み取りが可能な記録媒体。
【請求項１０】
画像を表示する表示パネルを備える表示装置における画像表示方法において、
前記表示パネルの複数の画素で構成される一部の表示領域からの光の強度を測定部で測定するステップと、
前記測定部が測定する表示領域に画像を表示するための各画素の画像データ及び前記測定部を基準とした各画素の位置情報に基づいて該表示領域から発せられる光の強度を算出するステップと、
算出された光の強度と測定された光の強度とを比較するステップと、
該比較するステップでの比較結果に応じて、調整部で前記表示パネルの光の強度を調整するステップと
を含むことを特徴とする画像表示方法。